【事件の表示】
　平成１１年特許願第２７０５０６号「遊技機」拒絶査定不服審判事件〔平成１３年　４月　３日出願公開、特開２００１−　８７５０３〕について、次のとおり審決する。
【結　論】
　本件審判の請求は、成り立たない。
【理　由】
１．手続の経緯
　本願は、平成１１年９月２４日の出願であって、平成２１年１０月２１日付け（１０月２７日発送）で拒絶査定され、これに対し、平成２２年１月１３日に拒絶査定不服審判の請求がなされ、同日付けで手続補正がなされたものである。
　
　
２．平成２２年１月１３日付けの手続補正についての補正却下の決定
［補正却下の決定の結論］
　平成２２年１月１３日付けの手続補正を却下する。
　
［理由］
　（１）補正の内容
　平成２２年１月１３日付けの手続補正（以下「本願補正」という。）により、特許請求の範囲は、
「【請求項１】 大当り抽選の結果を表す大当り図柄やはずれ図柄を表示するための表示手段と、
　前記表示手段に如何なる態様の表示を行わせるかを抽選する抽選手段と、
　該抽選手段による抽選の結果、大当り図柄やはずれ図柄を表示させる過程においてリーチ表示を行わせることとなった場合に、複数種類のリーチ表示の内の何れのリーチ表示を行わせるかを選択するリーチ態様選択手段と、
　前記リーチ態様選択手段により選択された態様で前記表示手段にリーチ表示を行わせるリーチ表示指令手段と、
　所定期間内においてリーチ表示が行われた回数を記憶する表示回数記憶手段と、
　前記表示回数記憶手段の記憶内容に基づいて、前記表示手段において表示される全種類のリーチ表示よりも少ない種類数で予め設定された複数種類の特定態様のリーチ表示の表示回数の合計値を報知する表示回数報知手段と、
　を備えることを特徴とする遊技機。
【請求項２】 前記表示回数記憶手段は、
　リーチ表示が行われた回数と、当該リーチ表示に引き続いて大当り図柄が表示された回数と、を対応させて記憶し、
　前記表示回数報知手段は、
　前記表示回数記憶手段の記憶内容に基づいて、所定期間内においてリーチ表示が行われた回数と、当該リーチ表示に引き続いて大当り図柄が表示された回数と、を報知することを特徴とする請求項１に記載の遊技機。
【請求項３】 前記表示回数報知手段は、前記表示回数記憶手段の記憶内容を前記表示手段に表示させることによって報知することを特徴とする請求項１又は２に記載の遊技機。」
　に補正された。
　
　本願補正は、補正前の請求項１における「予め設定された複数種類」について、「前記表示手段において表示される全種類のリーチ表示よりも少ない種類数」という事項を付加したものであって、この補正は、特許請求の範囲の減縮を目的とするものに該当すると認められる。
　したがって、本願補正は、平成１４年法律第２４号改正附則第２条第１項によりなお従前の例によるとされる同法による改正前の特許法第１７条の２第４項の規定に違反しない。
　そこで、以下、本願補正後の請求項１に係る発明（以下「本願補正発明」という。）が、特許出願の際に独立して特許を受けることができるものであるかどうかについて検討する。
　
　（２）引用文献に記載された事項
　原査定の拒絶の理由において引用文献１として引用された特開平９−９４３３４号公報（以下「引用文献」という。）には、図面とともに、以下の事項が記載されている。
　
（ア）「【特許請求の範囲】
【請求項１】　表示状態が変化可能な可変表示装置を有し、該可変表示装置の表示結果が予め定められた特定の表示態様となった場合に遊技状態が遊技者に有利な特定遊技状態となる遊技機であって、
前記可変表示装置を可変開始させた後表示結果を導出表示させる制御を行なう手段であって、リーチ表示動作状態を前記可変表示装置に表示させる制御を行なうことが可能な可変表示制御手段と、
前記可変表示制御手段によるリーチ表示動作状態の表示制御が行なわれた回数を計数する計数手段とを有し、
前記計数手段が計数した計数値が表示されることを特徴とする、遊技機。
【請求項２】　前記可変表示制御手段は、前記計数手段の計数値が変化したことを条件として前記計数手段の計数値を前記可変表示装置に表示させる計数値表示制御を行なうとともに所定期間経過後に前記計数値表示制御を終了することを特徴とする、請求項１記載の遊技機。
【請求項３】　前記計数手段が計数した計数値は、少なくとも前記特定遊技状態を除く期間中表示されることを特徴とする、請求項１記載の遊技機。
【請求項４】　前記可変表示制御手段は、予め定められた複数種類のリーチ表示動作状態の中から選択された１つのリーチ表示動作状態を表示制御し、
前記計数手段は前記リーチ表示動作状態の種類別に前記計数動作を行ない、
前記計数手段の計数値が前記リーチ表示動作状態の種類別に表示されることを特徴とする、請求項１記載の遊技機。」
（イ）「【００２２】遊技領域１０１内に打込まれたパチンコ玉が特別図柄用始動口１０９あるいは第１の状態となっている普通可変入賞球装置１１０内に入賞すれば、その始動入賞玉が始動入賞玉検出スイッチ１１３により検出され、その検出信号に基づいて可変表示装置１０２の特別図柄表示部１０３が可変開始された後、左図柄，右図柄，中図柄の順に停止制御される。この特別図柄表示部１０３は、ＣＲＴによる画像表示装置３２ｂ（図６参照）の表示画面で構成されており、０〜９，Ａ〜Ｅの１５種類の識別情報を可変表示可能なものであり、その停止時の表示結果が予め定められた特定の識別情報の組合せ（たとえば７７７などの１５通りのぞろめ）となれば、大当りとなり特定遊技状態が発生して特別可変入賞球装置１１４の開閉板１１６が開成して打玉が入賞しやすい遊技者にとって有利な第１の状態とする大当り時の制御が行なわれる。この特別可変入賞球装置１１４は、通常時は開閉板１１６が閉成した打玉が入賞不可能なまたは入賞困難な遊技者にとって不利な第２の状態となっているが、特別図柄表示部１０３の表示結果が特定の識別情報の組合せとなれば、ソレノイド１１７が励磁されて第１の状態となる。この大当りに伴う特別可変入賞球装置１１４の第１の状態は、所定時間（たとえば３０秒間）の経過あるいは打玉の入賞開口１１５への所定個数（たとえば１０個）の入賞のうちいずれか早い方の条件が成立することにより終了して第２の状態となる。この入賞開口１１５内に入賞したパチンコ玉は、１０カウント検出スイッチ１２０により検出され、その検出個数が入賞個数表示器１２１により表示されるとともに「カウント」数として、特別図柄表示部１０３に表示される。一方、入賞開口１１５内のある箇所には特定入賞領域（Ｖポケット）１１８が設けられており、第１の状態となっている特別可変入賞球装置１１４内に進入したパチンコ玉がこの特定入賞領域（Ｖポケット）１１８に入賞すれば、その特定入賞玉が特定入賞玉検出スイッチ１１９により検出され、特別可変入賞球装置１１４のその回の第１の状態が終了するのを待って再度特別可変入賞球装置１１４が第１の状態に駆動制御される繰り返し継続制御が行なわれる。この繰り返し継続制御の上限回数はたとえば１６回と定められている。この繰り返し継続制御の回数が、「ラウンド」数として特別図柄表示部１０３に表示される。」
（ウ）「【００２７】可変表示装置１０２の可変表示中においては、リーチ状態が発生する場合がある。ここで、リーチとは表示状態が変化可能な可変表示装置を有し、該可変表示装置が時期を異ならせて複数の表示結果を導出表示し、該複数の表示結果が予め定められた特定の表示態様の組合せとなった場合に、遊技状態が遊技者に有利な特定遊技状態となる遊技機において、前記複数の表示結果の一部がまだ導出表示されていない段階で、既に導出表示されている表示結果が前記特定の表示態様の組合せとなる条件を満たしている表示状態をいう。さらにリーチの中には、それが出現すると、通常のリーチに比べ大当りになりやすいように設定されたリーチ（大当りに発展する割合が高いリーチ）がある。このような特定のリーチをスーパーリーチという。そしてリーチが成立すれば、その成立時点から該リーチの成立に基づいた表示結果がすべて導出表示されるまでに特別図柄表示部１０３においてさまざまなリーチ表示制御がなされる。リーチの成立時点からリーチの成立に基づいた可変表示部の表示結果がすべて導出表示されるまでに可変表示部でなされる一連の表示動作状態を特にリーチ表示動作状態という。
【００２８】本実施の形態に係るパチンコ遊技機１では、複数種類のリーチ表示動作状態をその特別図柄表示部１０３に表示させることが可能である。このようなリーチ表示動作状態の種類として、リーチ１，リーチ２，リーチ３が予め定められている。パチンコ遊技機１は、リーチが成立した場合に、遊技状況に応じてリーチ１〜リーチ３のうちいずれかのリーチ表示動作状態を選択して、その表示を可変表示部１０３に行なう。リーチ１〜リーチ３の表示動作の違いとして、たとえば、図柄の変動速度や変動方向などが挙げられる。また、本実施の形態に示すパチンコ遊技機１の場合には、リーチ１，リーチ２，リーチ３それぞれでリーチが成立してからそのリーチが大当りに発展する割合が異なっている。」
（エ）「【００８５】図１１は、図９の表示領域１６０ｊに確率変動継続回数やリーチの成立回数などの一覧が表示されている図を示す。図に示したような情報は、画像切換スイッチ３００が操作されることにより大当りを除いて継続的に表示される。「確率変動継続回数」は、確率変動図柄で大当りが発生した後、その大当りを含め現在に至るまでに確率向上状態に繰り返し継続制御された結果、得られた大当り回数を示す。また、「（平均４．７５回）」とは、大当りが繰り返し連続して発生する遊技機種別の固有の期待値を示す。すなわち、確率向上状態が繰り返し継続して発生することが期待できる大当りの理論上の回数である。現在、確率変動継続回数は１回であるので、少なくとも確実に後２回は確率向上状態が継続して発生することが把握できるとともに、「期待値」から後３〜４回程度確率向上状態が継続される、すなわち比較的短期間に大当りが連続して発生することが期待できる。
【００８６】「前回大当りからの始動回数」とは、前回大当りが発生した後、現在に至るまでに可変表示装置１０２あるいは普通可変表示装置２０２が可変表示された回数を示す。「リーチ１」，「リーチ２」，「リーチ３」は、前回大当りが発生してから現在に至るまでに成立したリーチの回数を、リーチの種別ごと（リーチ表示動作状態種類ごと）に表わしたものである。
【００８７】このような表示がなされることで、遊技者は大当りの成立に関する情報を収集することができ、次回大当りが発生する時期などを予想しつつ、遊技を行なうことができる。これにより、より一層遊技の興趣性が向上する。
【００８８】図１２は、リーチが成立した場合に可変表示部に切換表示される画像の一例を示す。図９ないし図１１において説明した画像が表示されている最中にリーチが成立すれば、それまで表示されていた画像が消失して、強制的に可変表示部に可変表示領域１６０ａ〜１６０ｃが所定時間、拡大表示されるとともに、リーチを報知する効果音がスピーカ１０あるいは３４を通じて出力される。
【００８９】これにより、リーチの発生をより効果的に遊技者にアピールでき、それまで遊技以外にも気が向いていた遊技者を一気に遊技そのものに引き込んで、リーチの発生により付与されるスリル感を存分に遊技者に味わわせることができる。
【００９０】さらに、表示領域１６０ｅに、成立したリーチから大当りに移行する可能性を示す信頼度と、前回大当りが発生してから現在に至るまでに成立したリーチの履歴が表示される。信頼度は遊技機の設計値に基づいたものであり、現在成立しているリーチの信頼度が５％である（このリーチの出現２０回につき１回の割合で大当りが発生することが期待できる。）旨が表示されている。
【００９１】また、リーチの成立回数履歴として、リーチ１が９回、リーチ２が４回、リーチ３が３回これまでに成立した旨の表示がなされている。現在成立しているリーチが、たとえばリーチ１の場合には、今回のリーチを含めてこれまでにリーチ１が９回成立していることがわかる。さらに信頼度が５％であるので、今回、大当りの発生する割合が　１−（１−０．０５）９ ≒３７（％）と導き出される。
【００９２】これにより、リーチ表示動作状態中に遊技者は、そのリーチが大当りに移行するか否かを過去のリーチ成立状況に基づいて予想することを楽しむことができ、遊技に対する期待感が向上させられる。表示領域１６０ｅの表示は、その表示開始時期から所定時間経過後に消失して、図７に示したような表示に切換わる。」
（オ）「【０１２１】（１）　図１１に示したリーチ種別（リーチ表示動作状態種別）ごとのリーチ成立回数は、前回大当りが発生してから現在に至るまでに成立したリーチの回数が表示されるように構成した。しかしながら、遊技場の開店時からのリーチ回数の累計値を表示するように構成してもよく、あるいは、双方を同時に表示するようにしてもよい。」
　
　以上、（ア）ないし（オ）の記載、および図面（特に、図１１，１２，２０（ｂ）参照）を総合すると、引用文献には、以下の発明が開示されていると認めることができる。
　
「１．表示状態が変化可能な可変表示部を備えた可変表示装置を有しており、その停止時の表示結果が予め定められた特定の表示態様、例えば７７７などのぞろ目になると大当りとなり、遊技者に有利な特定遊技状態が発生する遊技機である。
　２．前記可変表示装置を可変開始させた後、可変表示部に大当りあるいははずれの表示結果を導出表示させる制御手段であって、一部の表示結果がまだ表示されていない段階で、表示態様がリーチ状態となったとき、予め定められた複数のリーチ表示動作状態（リーチ１，２，３）の中から選択された１つのリーチ表示動作状態を表示制御する可変表示制御手段を有している。
　３．前記複数のリーチ表示動作状態それぞれで、リーチが成立してからそのリーチが大当りに発展する割合が異なっている。
　４．前記複数のリーチ表示動作状態のいずれかの表示制御が行われると、行われたリーチ表示動作状態の種別ごとにその表示回数が計数手段によって計数され、前回大当りが発生してから現在まで、あるいは開店時から現在まで当該計数が累計される。
　５．計数手段によって累計された表示回数に基づいて、リーチ表示動作状態の種別ごとに、可変表示部にその回数が表示される。」
　（以下、この発明を「引用発明」という。）
　
　（３）対比
　引用発明と本願補正発明とを対比する。
　引用発明の「可変表示装置」および「リーチ表示動作状態」は、それぞれ本願補正発明の「表示手段」、「リーチ表示」に相当する。
　引用発明の「可変表示制御手段」は、大当りあるいははずれの表示結果を導出表示させる過程において、複数のリーチ表示動作状態の中から１つのリーチ表示動作状態を選択し、選択されたリーチ表示動作状態を可変表示装置に表示させるのであるから、当該「可変表示制御手段」は、本願補正発明の「大当り図柄やはずれ図柄を表示させる過程においてリーチ表示を行わせることとなった場合に、複数種類のリーチ表示の内の何れのリーチ表示を行わせるかを選択するリーチ態様選択手段」および「前記リーチ態様選択手段により選択された態様で前記表示手段にリーチ表示を行わせるリーチ表示指令手段」の両者に相当する。
　引用発明の「計数手段」は、行われたリーチ表示状態の回数を計数するだけでなく累計する、すなわち累計値を記憶するものであるから、本願補正発明の「表示回数記憶手段」に相当する。
　なお、引用文献には、可変表示装置に何れの表示態様（大当たりやはずれに対応する表示態様）を表示させるかを、抽選により決定することは明示されていないが、この種遊技機において、大当りやはずれ等の表示態様を抽選により決定することは技術常識である。
　
　以上のことから、両者は、
　＜一致点＞
「大当り抽選の結果を表す大当り図柄やはずれ図柄を表示するための表示手段と、
　前記表示手段に如何なる態様の表示を行わせるかを抽選する抽選手段と、
　該抽選手段による抽選の結果、大当り図柄やはずれ図柄を表示させる過程においてリーチ表示を行わせることとなった場合に、複数種類のリーチ表示の内の何れのリーチ表示を行わせるかを選択するリーチ態様選択手段と、
　前記リーチ態様選択手段により選択された態様で前記表示手段にリーチ表示を行わせるリーチ表示指令手段と、
　所定期間内においてリーチ表示が行われた回数を記憶する表示回数記憶手段と、
　前記表示回数記憶手段の記憶内容に基づいて、複数種類の特定態様のリーチ表示の表示回数を報知する表示回数報知手段と、
　を備える遊技機。」
　である点で一致し、以下の点で相違している。
　
　＜相違点＞
　本願補正発明は、表示回数報知手段が「前記表示手段において表示される全種類のリーチ表示よりも少ない種類数で予め設定された複数種類の特定態様のリーチ表示の表示回数の合計値を報知する」ものであるのに対し、
　引用発明は、上記のような報知をするものではない点
　
　（４）判断
　引用発明は、リーチ表示動作状態（リーチ表示）の表示回数を、複数種類のリーチ表示動作状態ごとに区別して報知するものである。
　しかして、複数種類のリーチの表示回数を区別して報知するのではなく合計して報知することは、特開平８−３０９００４号公報（１次リーチおよび２次リーチの発生の回数を合計して報知するもの）にあるように周知な技術である。
　また、複数種類のリーチの発生回数を報知する際、全ての種類のリーチの内、選択されたリーチの発生回数を報知することも、特開平１０−５４２０号公報（ある時点では通常リーチの発生回数を報知し、別の時点ではスペシャルリーチの発生回数を報知するもの）にあるように周知技術である。
　さらに、複数種類のものごとに関する情報を対象者に知らせる場合、例えば政党であるＡ党、Ｂ党、Ｃ党、Ｄ党の支持率や、アンケートで「とてもよい」、「少しよい」、「普通」、「少し悪い」、「とても悪い」と回答した率などを知らせる場合、Ａ党とＢ党が「与党」であればその両者の支持率を合計して「与党の支持率」と表現したり、「とてもよい」と「少しよい」と回答した率を合計して「よい」と回答した率と表現したりすることで、全種類のものごとよりも少ない種類で情報を知らせるようにすることは、一般社会において普通に行われている程度の技術常識である。
　これらの周知技術ないし技術常識を勘案すると、複数種類のリーチ表示動作状態ごとにその表示回数を区別して報知するものに換え、複数種類のリーチ表示動作状態の中から所定種類のリーチ表示動作状態（請求人が「大当りになる期待度が高いリーチ表示」というもの）を選択して、その表示回数を合計して報知するものとする程度のことは、当業者が容易に想到できる域を出るものではない。
　そして、本願補正発明の作用効果等を総合的に勘案しても、本願補正発明に格別の点を認めることはできない。
　
　以上のように、本願補正発明は、引用発明および周知技術ないし技術常識に基づいて、当業者が容易に発明をすることができたものである。
　したがって、本願補正発明は、特許法第２９条第２項の規定により、その特許出願の際に独立して特許を受けることができない。
　
　（５）本願補正についてのまとめ
　以上のとおり本願補正は、平成１８年法律第５５号改正附則第３条第１項によりなお従前の例によるとされる同法による改正前の特許法第１７条の２第５項において準用する同法第１２６条第５項の規定に違反するものであるから、同法第１５９条第１項において読み替えて準用する同法第５３条第１項の規定により却下すべきものである。
　
　
３．本願発明について
　平成２２年１月１３日付けの手続補正は上記のとおり却下されたので、本出願に係る発明は、平成２１年１０月１日付け手続補正書により補正された特許請求の範囲により特定されるとおりのものである。
　そして、その請求項１に係る発明（以下「本願発明」という。）は、次のとおりである。
　
「【請求項１】 大当り抽選の結果を表す大当り図柄やはずれ図柄を表示するための表示手段と、
　前記表示手段に如何なる態様の表示を行わせるかを抽選する抽選手段と、
　該抽選手段による抽選の結果、大当り図柄やはずれ図柄を表示させる過程においてリーチ表示を行わせることとなった場合に、複数種類のリーチ表示の内の何れのリーチ表示を行わせるかを選択するリーチ態様選択手段と、
　前記リーチ態様選択手段により選択された態様で前記表示手段にリーチ表示を行わせるリーチ表示指令手段と、
　所定期間内においてリーチ表示が行われた回数を記憶する表示回数記憶手段と、
　前記表示回数記憶手段の記憶内容に基づいて、予め設定された複数種類の特定態様のリーチ表示の表示回数の合計値を報知する表示回数報知手段と、
　を備えることを特徴とする遊技機。」
　
　（１）引用例に記載された事項
　原査定の拒絶の理由に引用された特開平９−９４３３４号公報（引用文献）に記載された発明（引用発明）は、前記「２．（２）」に摘記したとおりである。
　
　（２）対比・判断
　本願発明（補正前の請求項１）は、前記２．で検討した本願補正発明（補正後の請求項１）から、「前記表示手段において表示される全種類のリーチ表示よりも少ない種類数」という技術事項を削除したものである。
　そうすると、本願発明の構成要件を全て含み、さらに他の構成要件を付加したものに相当する本願補正発明が、前記２．（４）に記載したとおり、引用発明および周知技術ないし技術常識に基づいて当業者が容易に発明をすることができたものであるから、本願発明も、同様の理由により、当業者が容易に発明をすることができたものである。
　
　（３）むすび
　以上のとおり、本願発明は、引用発明および周知技術ないし技術常識に基づいて当業者が容易に発明をすることができたものであるから、特許法第２９条第２項の規定により特許を受けることができない。
　したがって、本願は、他の請求項について検討するまでもなく、拒絶されるべきものである。
　よって、結論のとおり審決する。